(57)【要約】【課題】頭皮において指圧の感触を得ながら局所的に集中して刺激を与えること。【解決手段】頭皮ケア装置１０におけるハウジング１１の開口部１１ａには、第１の回転板１３が設けられるとともに、第１の回転板１３の縁部には施術子１２の基端１２ａが支持されている。さらに、第１の回転板１３には第１の駆動モータ１７が接続されている。そして、第１の駆動モータ１７によって第１の回転板１３を回転させながら施術子１２の施術面１２ｃと接触する頭皮を刺激する。【選択図】図２
2010253020.tif 000002
【特許請求の範囲】
【請求項１】
頭皮に接触して施術する施術子と、
前記施術子を回転駆動させる第１の回転駆動部と、を備え、
前記頭皮に接触した前記施術子を前記第１の回転駆動部によって回転させることで施術することを特徴とする頭皮ケア装置。
【請求項２】
前記施術子は、芯部の外面を前記芯部よりも硬度が低い第１の弾性部材で被覆して構成されるとともに、前記第１の回転駆動部によって回転する第１の支持部材に取り付けられていることを特徴とする請求項１に記載の頭皮ケア装置。
【請求項３】
前記施術子は、前記第１の弾性部材の外面を前記第１の弾性部材よりも硬度の高い第２の弾性部材で被覆して構成されていることを特徴とする請求項２に記載の頭皮ケア装置。
【請求項４】
前記施術子は、前記第１の支持部材の取付面に対して傾斜した状態で取り付けられていることを特徴とする請求項２〜請求項３のいずれか一項に記載の頭皮ケア装置。
【請求項５】
前記施術子における前記頭皮に接触して施術する施術面は、球面に形成されていることを特徴とする請求項１〜請求項４のいずれか一項に記載の頭皮ケア装置。
【請求項６】
前記施術子における前記頭皮に接触して施術する施術面の中心は、前記第１の支持部材の回転中心と一致することを特徴とする請求項２〜請求項５のいずれか一項に記載の頭皮ケア装置。
【請求項７】
前記施術子は、該施術子の軸線を中心に駆動力を持たずに自由に回転することを特徴とする請求項１〜請求項６のいずれか一項に記載の頭皮ケア装置。
【請求項８】
前記第１の回転駆動部を支持する第２の支持部材と、前記第２の支持部材を回転させる第２の回転駆動部と、をさらに備え、
前記第１の支持部材及び前記施術子は、前記第２の支持部材の回転中心軸線周りを回転することを特徴とする請求項２〜請求項７のいずれか一項に記載の頭皮ケア装置。
【発明の詳細な説明】
【技術分野】
【０００１】
本発明は、頭皮の活性化や育毛を図る頭皮ケア装置に関する。
【背景技術】
【０００２】
従来から、一般のブラシを用いて手動により頭皮をタッピングすることで頭皮のマッサージを行っていた。また、頭皮のマッサージを電動で行うものとして、ブラシを頭皮表面に沿った方向に往復運動させるブラシ駆動機構を備えたものが知られている（例えば特許文献１参照）。
【０００３】
特許文献１に記載のトリートメント装置は、その外郭が筐体によって形成されるとともに、筐体は、電源を含む電気部品の収容部を有する第１ケーシングと、第１ブラシユニット及び第２ブラシユニットを共に支持する第２ケーシングとから構成されている。第１及び第２ブラシユニットには複数のブラシが筐体に対して突設されるとともに、ブラシの先端部を頭皮に接触させ、ブラシ駆動機構によって頭皮表面に沿った方向にブラシの先端部を往復動作させる。よって、第１ブラシユニットのブラシの先端部と、第２ブラシユニットのブラシの先端部との近接又は離間が繰り返されるとともに頭皮と接触するブラシの先端部の摺動にて頭皮を延ばしたり縮めたりする作用が効果的に得られる。
【先行技術文献】
【特許文献】
【０００４】
【特許文献１】特表２００５−２５４７８号公報
【発明の概要】
【発明が解決しようとする課題】
【０００５】
しかしながら、特許文献１のような頭皮ケア装置では、ブラシの先端部を頭皮表面に沿うように一定の方向に往復動作させることで、頭皮における一定の方向に亘って刺激を与えることはできるが、頭皮において局所的に集中して刺激を与えることができないという問題があった。
【０００６】
本発明の目的は、頭皮において指圧の感触を得ながら局所的に集中して刺激を与えることができる頭皮ケア装置を提供することにある。
【課題を解決するための手段】
【０００７】
上記課題を解決するために、請求項１に記載の発明は、頭皮に接触して施術する施術子と、前記施術子を回転駆動させる第１の回転駆動部と、を備え、前記頭皮に接触した前記施術子を前記第１の回転駆動部によって回転させることで施術することを要旨とする。
【０００８】
この発明によれば、第１の回転駆動部によって頭皮に接触した施術子を回転させながら頭皮を施術することで、頭皮において指圧の感触を得ながら局所的に集中して刺激を与えることができる。
【０００９】
請求項２に記載の発明は、請求項１に記載の発明において、前記施術子は、芯部の外面を前記芯部よりも硬度が低い第１の弾性部材で被覆して構成されるとともに、前記第１の回転駆動部によって回転する第１の支持部材に取り付けられていることを要旨とする。
【００１０】
この発明によれば、施術子の内部に芯部を配設することで、施術子の内部に芯部を配設しない構成と比べて、施術子自身の強度を強くすることができる。また、芯部の外面を第１の弾性部材によって被覆することで、施術子における頭皮と接触する部位が第１の弾性部材となるため、頭皮への接触が柔らかくなり、施術子における頭皮と接触する部位に弾力を持たせることができる。よって、施術子が頭皮に対して滑ってしまうことを抑制することができるとともに、頭皮に対して施術子を密着させることができる。
【００１１】
請求項３に記載の発明は、請求項２に記載の発明において、前記施術子は、前記第１の弾性部材の外面を前記第１の弾性部材よりも硬度の高い第２の弾性部材で被覆して構成されていることを要旨とする。
【００１２】
この発明によれば、第１の弾性部材の硬度よりも高い第２の弾性部材によって第１の弾性部材をさらに被覆することで、第１の弾性部材の耐久性を向上させることができ、施術子における頭皮と接触する部位の弾力性を維持することができる。
【００１３】
請求項４に記載の発明は、請求項２〜請求項３のいずれか一項に記載の発明において、前記施術子は、前記第１の支持部材の取付面に対して傾斜した状態で取り付けられていることを要旨とする。
【００１４】
この発明によれば、第１の支持部材が回転した状態で頭皮に接触する施術子が押圧することで発生する頭皮に対しての押圧力が、頭皮における施術子と接触する部位で分散される。よって、第１の支持部材の回転中心軸線と平行に延びるように設けられる施術子が頭皮を押圧する場合と比べて、頭皮に対して様々な方向へ押圧力を加えることができ、頭皮におけるマッサージ効果を向上させることができる。
【００１５】
請求項５に記載の発明は、請求項１〜請求項４のいずれか一項に記載の発明において、前記施術子における前記頭皮に接触して施術する施術面は、球面に形成されていることを要旨とする。
【００１６】
この発明によれば、施術子における頭皮に接触して施術する施術面が球面に形成されていることで、施術面が頭皮に対して滑らかに接触することができる。
請求項６に記載の発明は、請求項２〜請求項５のいずれか一項に記載の発明において、前記施術子における前記頭皮に接触して施術する施術面の中心は、前記第１の支持部材の回転中心と一致することを要旨とする。
【００１７】
この発明によれば、施術子における頭皮に接触して施術する施術面の中心が、頭皮において一点に集中して同じ部位に当接し、施術子と頭皮との接点がぶれることがない。よって、頭皮において、一点に集中して刺激を与えることができ、指圧の感触をより一層得ることができる。また、施術面の中心が、頭皮において一点に集中して同じ部位に当接しながら施術子が回転駆動することで、第１の支持部材が回転しながら施術子によって頭皮を施術する際に、施術子によって髪を巻き込んでしまうことを抑制することができる。
【００１８】
請求項７に記載の発明は、請求項１〜請求項６のいずれか一項に記載の発明において、
前記施術子は、該施術子の軸線を中心に駆動力を持たずに自由に回転することを要旨とする。
【００１９】
この発明によれば、施術子によって頭皮を施術している際に、施術子に髪が纏わり付いてきたとしても、施術子が、該施術子の軸線を中心に空回りした状態で自由に回転することで施術子に纏わり付いた髪を逃すことができる。よって、施術子に髪が巻き込んでしまうことをさらに抑制することができる。
【００２０】
請求項８に記載の発明は、請求項２〜請求項７のいずれか一項に記載の発明において、前記第１の回転駆動部を支持する第２の支持部材と、前記第２の支持部材を回転させる第２の回転駆動部と、をさらに備え、前記第１の支持部材及び前記施術子は、前記第２の支持部材の回転中心軸線周りを回転することを要旨とする。
【００２１】
この発明によれば、第２の回転駆動部によって第２の支持部材が回転することで、第１の支持部材、施術子及び第１の回転駆動部が一つのユニットとして、第２の支持部材の回転中心軸線周りを回転するとともに、さらに、第１の支持部材は第１の回転駆動部によって回転している状態となっている。この状態で施術子が頭皮を施術すると、頭皮が施術子に追従しやすくなる。よって、頭皮において、指圧の感触に加えて揉捏の感触を得ながら局所的に集中して刺激を与えることができ、頭皮におけるマッサージ効果をさらに向上させることができる。
【発明の効果】
【００２２】
この発明によれば、頭皮において指圧の感触を得ながら局所的に集中して刺激を与えることができる。
【図面の簡単な説明】
【００２３】
【図１】第１の実施形態における頭皮ケア装置を示す斜視図。
【図２】頭皮ケア装置の縦断面図。
【図３】第１の回転板の平面図。
【図４】第１の回転板及び施術子の縦断面図。
【図５】第２の実施形態における第１の回転板及び施術子の縦断面図。
【図６】第３の実施形態における頭皮ケア装置の縦断面図。
【図７】別の実施形態における頭皮ケア装置の縦断面図。
【図８】別の実施形態における頭皮ケア装置の縦断面図。
【図９】別の実施形態における頭皮ケア装置の縦断面図。
【図１０】別の実施形態における施術子の先端を示す縦断面図。
【発明を実施するための形態】
【００２４】
（第１の実施形態）
以下、本発明を具体化した第１の実施形態を図１〜図４にしたがって説明する。
図１に示すように、本実施形態における頭皮ケア装置１０は、一面が開口された筒状のハウジング１１を備えている。
【００２５】
図２に示すように、ハウジング１１内には第１の回転駆動部としての第１の駆動モータ１７が内蔵されるとともに、第１の駆動モータ１７の回転軸１７ａには第１の回転板１３が接続されている。また、第１の駆動モータ１７は、ハウジング１１内に内蔵される電源部１８及び制御部１９と電気的に接続されている。さらに、電源部１８と制御部１９とは電気的に接続されるとともに、制御部１９は、ハウジング１１の側面に配設された電源スイッチ２０及び方向切替スイッチ２１と電気的に接続されている。
【００２６】
図２及び図３に示すように、第１の回転板１３は平面視円板状をなすとともに、開口部１１ａ近傍に位置するようにハウジング１１内に収容されている。また、第１の回転板１３には、円柱状の施術子１２が開口部１１ａからハウジング１１外へ突出するように設けられている。施術子１２の基端１２ａは第１の回転板１３における取付面１３ａの縁部から僅かに内径側に寄った位置に支持されるとともに、施術子１２の先端１２ｂは第１の回転板１３の中心軸線Ｌ１上に位置している。すなわち、施術子１２は、第１の回転板１３の縁部から僅かに内径側に寄った位置から第１の回転板１３の中心軸線Ｌ１に向かって傾斜するように設けられている。施術子１２は、施術子１２の軸線Ｌ２と第１の回転板１３の中心軸線Ｌ１とのなす角度θが１５°〜６０°の範囲になるように設定されている。なお、角度θの範囲は３０°〜４５°の範囲であるとより好ましい。また、施術子１２の先端１２ｂは半球状をなしているとともに、施術子１２における頭皮に接触して施術する施術面１２ｃは球面に形成されている。さらに、施術面１２ｃの中心が第１の回転板１３の中心軸線Ｌ１と一致するように設定されている。
【００２７】
図４に示すように、施術子１２は、該施術子１２の内部に配設される芯部１４と、芯部１４の外面を被覆する第１の弾性部材１５と、第１の弾性部材１５を被覆する第２の弾性部材１６とから構成されている。芯部１４は、例えば鉄やプラスチック等の成形品よりなる。第１及び第２の弾性部材１５，１６は、例えばゴム等の弾性材料よりなるとともに、第２の弾性部材１６の硬度（例えば１５〜２５度）は第１の弾性部材１５の硬度（例えば５〜１５度）よりも高くなっている。第１及び第２の弾性部材１５，１６の硬度は、芯部１４の硬度（例えば７０〜９０度）よりも低くなっている。また、第２の弾性部材１６の厚みは、第１の弾性部材１５の厚みよりも薄くなっている。よって、芯部１４は人間の指でいう骨の役割をするとともに、第１の弾性部材１５は人間の指でいう脂肪の役割をし、第２の弾性部材１６は人間の指で言う皮膚の役割をする。したがって、施術子１２は、施術子１２と接触した頭皮が人間の指に似た感触を得られるように成形されている。
【００２８】
電源スイッチ２０がオンされると制御部１９へ入力信号が送られるとともに、電源スイッチ２０からの入力信号を受信した制御部１９は、電源部１８を起動させるように指令信号を送信する。電源部１８は、制御部１９からの指令信号を受信することで起動するとともに、第１の駆動モータ１７を駆動させるために第１の駆動モータ１７に電力を供給する。そして、第１の駆動モータ１７は、電源部１８から電力が供給されることで回転するとともに、第１の駆動モータ１７の回転によって第１の回転板１３が時計回り（図３に示す矢印Ｒ１の方向）に回転するようになっている。
【００２９】
また、第１の回転板１３が時計回りに回転している状態において、方向切替スイッチ２１が押されると、制御部１９へ入力信号が送られるとともに、方向切替スイッチ２１からの入力信号を受信した制御部１９は、第１の駆動モータ１７を反時計回り（図３に示す矢印Ｒ２の方向）に回転させるように第１の駆動モータ１７を制御するようになっている。
【００３０】
次に、上記のように構成された頭皮ケア装置１０の使用例について説明する。
使用者は、施術子１２の先端１２ｂ側が頭皮に向くように頭皮ケア装置１０を把持するとともに、電源スイッチ２０を操作（オン）する。そして、第１の駆動モータ１７によって第１の回転板１３を回転させながら施術子１２の先端１２ｂを頭皮へ押し当てる。ここで、施術子１２は、第１の回転板１３の縁部から僅かに内径側に寄った位置から第１の回転板１３の中心軸線Ｌ１に向かって傾斜するように設けられている。よって、第１の回転板１３が回転した状態で頭皮に対して施術子１２が押圧することで発生する押圧力が、頭皮における施術子１２の施術面１２ｃと接触する部位において分散される。さらに、施術子１２の施術面１２ｃの中心が、第１の回転板１３の中心軸線Ｌ１と一致するように設定されている。よって、第１の回転板１３が回転しながら施術子１２の施術面１２ｃが頭皮と接触しても、施術子１２の施術面１２ｃの中心が、頭皮において一点に集中して同じ部位に当接し、施術子１２と頭皮との接点がぶれることがない。したがって、頭皮において指圧の感触を得ながら一点に集中して刺激を与えることができる。
【００３１】
上記実施形態では以下の効果を得ることができる。
（１）頭皮ケア装置１０に設けられる第１の回転板１３には、施術子１２が設けられるとともに、第１の回転板１３には第１の駆動モータ１７が接続されている。よって、第１の駆動モータ１７によって第１の回転板１３を回転させながら施術子１２の施術面１２ｃと接触する頭皮を刺激することで、頭皮において指圧の感触を得ながら刺激を与えることができる。
【００３２】
（２）施術子１２は、芯部１４、第１の弾性部材１５及び第２の弾性部材１６とから構成されるとともに、第２の弾性部材１６の硬度は第１の弾性部材１５の硬度よりも高くなっており、第１及び第２の弾性部材１５，１６の硬度は、芯部１４の硬度よりも低くなっている。よって、施術子１２の内部に芯部１４を配設することで、施術子１２の内部に芯部１４を配設しない構成と比べて、施術子１２自身の強度を強くすることができる。また、芯部１４の外面を第１の弾性部材１５及び第２の弾性部材１６によって被覆することで、施術子１２の施術面１２ｃが第２の弾性部材１６となるため、頭皮への接触が柔らかくなり、頭皮における施術子１２の施術面１２ｃと接触する部位に弾力を持たせることができる。よって、施術子１２の施術面１２ｃが頭皮に対して滑ってしまうことを抑制することができるとともに、頭皮に対して施術子１２を密着させることができる。
【００３３】
（３）施術子１２には、第１の弾性部材１５を被覆する第２の弾性部材１６がさらに設けられるとともに、第２の弾性部材１６の硬度は第１の弾性部材１５の硬度よりも高くなっている。よって、第１の弾性部材１５の硬度よりも高い第２の弾性部材１６によって第１の弾性部材１５をさらに被覆することで、第１の弾性部材１５の耐久性を向上させることができ、施術子１２における頭皮と接触する部位の弾力性を維持することができる。
【００３４】
（４）施術子１２は、第１の回転板１３の中心軸線Ｌ１に向かって傾斜する方向に延びるように設けられている。よって、第１の回転板１３の中心軸線Ｌ１と平行に延びるように設けられる施術子が頭皮を押圧する場合と比べて、頭皮に対して様々な方向へ押圧力を加えることができ、頭皮におけるマッサージ効果を向上させることができる。
【００３５】
（５）施術子１２の先端１２ｂは半球状に形成されるとともに、施術面１２ｃが球面に形成されている。よって、第１の回転板１３が回転しながら施術子１２によって頭皮を施術する際に、施術子１２の施術面１２ｃが頭皮に対して滑らかに接触しながら頭皮を施術することができる。
【００３６】
（６）施術子１２の施術面１２ｃの中心が、第１の回転板１３の中心軸線Ｌ１と一致するように設定されている。よって、施術面１２ｃの中心が頭皮において一点に集中して同じ部位に当接し、施術子１２と頭皮との接点がぶれることがないため、頭皮において一点に集中して刺激を与えることができ、指圧の感触をより一層得ることができる。また、施術面１２ｃの中心が、頭皮において一点に集中して同じ部位に当接することで、第１の回転板１３が回転しながら施術子１２によって頭皮を施術する際に、施術子１２によって髪を巻き込んでしまうことを抑制することができる。
【００３７】
（第２の実施形態）
以下、本発明を具体化した第２の実施形態を図５にしたがって説明する。なお、以下に説明する実施形態では、既に説明した実施形態と同一構成について同一符号を付すなどして、その重複する説明を省略又は簡略化する。
【００３８】
図５に示すように、施術子１２は、第１の回転板１３の縁部から僅かに内径側に寄った位置に支持される芯部３１を備えており、芯部３１は、施術子１２の基端１２ａから略中央部にかけて設けられる大径部３１ａと、略中央部から先端１２ｂにかけて設けられる大径部３１ａよりも小径である小径部３１ｂとからなる。
【００３９】
小径部３１ｂの外周には、施術子１２の軸線Ｌ２を中心に周方向（図５に示す矢印Ｘの方向）に駆動力を持たずに自由に回転する回転部３２が設けられている。回転部３２は、小径部３１ｂの外面を覆うように設けられる芯部３２ａと、芯部３２ａの外面を覆う弾性部材３２ｂとから構成されている。芯部３２ａ及び弾性部材３２ｂは一体的に回転可能である。
【００４０】
回転部３２は、施術子１２によって頭皮を施術している際に、施術子１２に髪が纏わり付いてきたときに、纏わり付いた髪が回転部３２における弾性部材３２ｂの外面を摺動することで、回転部３２が空回りしながら回転する。回転部３２が空回りしながら回転することによって施術子１２に纏わり付いてきた髪も回転部３２と同じ方向に移動することで、施術子１２に纏わり付いた髪を逃すことができる。
【００４１】
したがって、第２の実施形態によれば、第１の実施形態の効果（１）〜（６）と同様の効果に加えて、以下に示す効果を得ることができる。
（７）施術子１２には回転部３２が設けられている。よって、施術子１２によって頭皮を施術している際に、施術子１２に髪が纏わり付いてきたとしても、回転部３２が空回りしながら回転することで施術子１２に纏わり付いた髪を逃すことができる。よって、施術子１２に髪が巻き込んでしまうことをさらに抑制することができる。
【００４２】
（第３の実施形態）
以下、本発明を具体化した第３の実施形態を図６にしたがって説明する。
図６に示すように、ハウジング１１内において、第１の駆動モータ１７における第１の回転板１３が接続されている側とは反対側には、第１の駆動モータ１７を支持する第２の支持部材としての第２の回転板４１が設けられている。また、ハウジング１１内には第２の回転板４１を回転させる第２の回転駆動部としての第２の駆動モータ４２が設けられている。第２の駆動モータ４２の回転軸４２ａは第２の回転板４１と接続されている。また、第２の駆動モータ４２は、ハウジング１１内に内蔵される電源部１８及び制御部１９と電気的に接続されている。第２の回転板４１の中心軸線Ｌ３は、第１の回転板１３の中心軸線Ｌ１と一致しない位置になるように設定されている。
【００４３】
電源スイッチ２０がオンされると制御部１９へ入力信号が送られるとともに、電源スイッチ２０からの入力信号を受信した制御部１９は、電源部１８を起動させるように指令信号を送信する。電源部１８は、制御部１９からの指令信号を受信することで起動するとともに、第１の駆動モータ１７及び第２の駆動モータ４２を駆動させるために第１の駆動モータ１７及び第２の駆動モータ４２に電力を供給する。そして、第１の駆動モータ１７及び第２の駆動モータ４２は、電源部１８から電力が供給されることで回転し、第２の駆動モータ４２の回転によって第２の回転板４１が回転するとともに、第１の駆動モータ１７の回転によって第１の回転板１３が回転するようになっている。
【００４４】
上記構成の頭皮ケア装置１０では、第２の駆動モータ４２によって第２の回転板４１が回転することで、第１の回転板１３、施術子１２及び第１の駆動モータ１７が一つのユニットとして、第２の回転板４１の中心軸線Ｌ３周りを公転するとともに、さらに、第１の回転板１３は第１の駆動モータ１７によって自転している状態となっている。この状態で施術子１２が頭皮を施術すると、頭皮が施術子１２の施術面１２ｃに追従しやすくなる。よって、頭皮において指圧の感触に加えて揉捏の感触を得ながら刺激を与えることができる。
【００４５】
したがって、第３の実施形態によれば、第１の実施形態の効果（１）〜（６）と同様の効果に加えて、以下に示す効果を得ることができる。
（８）頭皮ケア装置１０に第２の回転板４１と第２の駆動モータ４２とをさらに備えた。よって、第２の駆動モータ４２によって第２の回転板４１が回転することで、第１の回転板１３、施術子１２及び第１の駆動モータ１７が一つのユニットとして、第２の回転板４１の中心軸線Ｌ３周りを公転するとともに、さらに、第１の回転板１３は第１の駆動モータ１７によって自転している状態となっている。この状態で施術子１２が頭皮を施術すると、頭皮が施術子１２の施術面１２ｃに追従しやすくなり、頭皮において指圧の感触に加えて揉捏の感触を得ながら刺激を与えることができるとともに、頭皮におけるマッサージ効果をさらに向上させることができる。
【００４６】
なお、上記実施形態は以下のように変更してもよい。
○  上記各実施形態において、頭皮ケア装置１０を複数設けるとともに、各頭皮ケア装置１０を連結させて一つの装置としてもよい。図７及び図８に示すように、頭皮ケア装置５０は、例えば第３の実施形態における頭皮ケア装置１０と同様の頭皮ケア装置１０ａ，１０ｂを備えている。なお、頭皮ケア装置１０ｂ内に収容された第１の駆動モータ１７及び第２の駆動モータ４２は、頭皮ケア装置１０ａ内に内蔵された電源部１８及び制御部１９と電気的に接続されている。頭皮ケア装置１０ａにおけるハウジング１１の天板１１ｂには第１アーム５１の一端５１ａが接続されるとともに、頭皮ケア装置１０ｂにおけるハウジング１１の天板１１ｂには第２アーム５２の一端５２ａが接続されている。第１アーム５１の他端５１ｂと第２アーム５２の他端５２ｂとは回転軸５３を介して揺動可能に連結されている。すなわち、頭皮ケア装置５０は、二つの頭皮ケア装置１０ａ，１０ｂを第１アーム５１及び第２アーム５２によって連結して構成されている。第１アーム５１及び第２アーム５２が回転軸５３を中心に揺動することにより、図７に示す第１アーム５１と第２アーム５２との連結部が直線状の状態から、図８に示す第１アーム５１と第２アーム５２との連結部が屈曲した状態となって、ハウジング１１における開口部１１ａが互いに内側に向いた状態に変更可能である。これによれば、頭部の形状にフィットするように頭皮ケア装置１０ａ，１０ｂにおける頭部に対しての押圧角度を自由に変えることができる。なお、頭皮ケア装置１０を２つ備えた構成に限らず、頭皮ケア装置１０を３つ以上備えた構成にしてもよい。例えば、５つの頭皮ケア装置１０を備えた構成にすることで、人間の手先で頭皮をマッサージしている感触により近くなり、頭皮におけるマッサージ効果をさらに向上させることができる。
【００４７】
○  また、図９に示すように、第１アーム５１の他端５１ｂと第２アーム５２の他端５２ｂとをスライド機構５４によって連結するとともに、第１アーム５１及び第２アーム５２をスライド機構５４によって互いにスライドさせて、頭皮ケア装置１０ａ，１０ｂの間を互いに離間する方向（図９に示す矢印Ｙの方向）に変更可能な構成にしてもよい。
【００４８】
○  上記各実施形態において、施術子１２の先端１２ｂの形状は半球状に形成されているが、これに限らない。例えば、図１０に示すように、施術子１２の先端１２ｂの形状は、角部６１が球面をなすとともに、各角部６１を繋ぐ先端部６２が施術子１２における軸線Ｌ２と直交する方向に形成された形状であってもよい。この場合、施術子１２によって頭皮を施術する際に、頭皮に角部６１が接触するように施術子１２の傾きが設定されている必要がある。すなわち、施術子１２における頭皮と接触する接点がある程度位置決めできる構成であれば、施術子１２において、施術子１２における頭皮と接触する面のみが球面に形成されていてもよい。
【００４９】
○  上記各実施形態において、施術子１２の施術面１２ｃの中心が第１の回転板１３の中心軸線Ｌ１と一致するように設定されていたが、これに限らず、第１の回転板１３の中心軸線Ｌ１よりも外周側に外れた位置に施術子１２の施術面１２ｃの中心が設定されていてもよい。この場合、第１の回転板１３を回転させながら、施術子１２の施術面１２ｃと接触する頭皮における所定部位を施術子１２によって刺激できるように設計する必要がある。ここで、「頭皮における所定部位」とは、施術子１２の施術面１２ｃが頭皮と接触するとともに第１の回転板１３が回転している状態において、頭皮が施術子１２の施術面１２ｃに追従した状態となり得る頭皮の部位のことを言う。
【００５０】
○  上記各実施形態において、施術子１２を第１の回転板１３の中心軸線Ｌ１に向かって傾斜する方向に延びるように設けたが、これに限らず、例えば、施術子１２を第１の回転板１３の中心軸線Ｌ１と平行に延びるように設けてもよい。この場合においても、第１の回転板１３を回転させながら、施術子１２の施術面１２ｃと接触する頭皮における所定部位を施術子１２によって刺激できるように設計する必要がある。また、この場合、施術子１２は、第１の回転板１３の中心軸線Ｌ１と施術子１２の軸線Ｌ２とが一致しない位置に設けられている。
【００５１】
○  上記各実施形態において、施術子１２は、該施術子１２の内部に配設される芯部１４と、芯部１４の外面を被覆する第１の弾性部材１５と、第１の弾性部材１５を被覆する第２の弾性部材１６とから構成したが、これに限らず、第１の弾性部材１５の外面に第２の弾性部材１６を被覆しない構成としてもよい。これによれば、施術子１２における頭皮と接触する部位が第２の弾性部材１６よりも硬度の低い第１の弾性部材１５となるため、頭皮への接触がさらに柔らかくなり、施術子１２の施術面１２ｃに弾力をさらに持たせることができる。したがって、施術子１２が頭皮に対して滑ってしまうことをさらに抑制することができるとともに、頭皮に対しての施術子１２における密着性をさらに向上させることができる。
【００５２】
○  上記各実施形態において、第１の回転板１３の縁部から僅かに内径側に寄った位置から第１の回転板１３の中心軸線Ｌ１に向かって傾斜するように設けたが、これに限らない。例えば、施術子１２を第１の回転板１３の中心軸線Ｌ１から離間する側に向かって傾斜するように設けてもよい。
【符号の説明】
【００５３】
１０，１０ａ，１０ｂ，５０…頭皮ケア装置、１２…施術子、１２ｃ…施術面、１３…第１の支持部材としての第１の回転板、１３ａ…取付面、１４…芯部、１５…第１の弾性部材、１６…第２の弾性部材、１７…第１の回転駆動部としての第１の駆動モータ、４１…第２の支持部材としての第２の回転板、４２…第２の回転駆動部としての第２の駆動モータ。
【図１】
2010253020.tif 000003
【図２】
2010253020.tif 000004
【図３】
2010253020.tif 000005
【図４】
2010253020.tif 000006
【図５】
2010253020.tif 000007
【図６】
2010253020.tif 000008
【図７】
2010253020.tif 000009
【図８】
2010253020.tif 000010
【図９】
2010253020.tif 000011
【図１０】
2010253020.tif 000012